(57)【要約】【課題】本発明は警報ロックを開示した。【解決手段】安全ドアを含み、前記安全ドアの中にはドア溝が設置され、前記ドア溝の中には駆動機構が設置され、前記駆動機構は駆動モータ、六つの三角形ブロック及び五つの方形ブロックを含み、前記駆動モータが装置の動力源として装置全体の作動を駆動し、前記三角形ブロックの回転が前記方形ブロックをプッシュし下へ移動させることができ、装置がドアのところにいる人の立つ時間によって異なる警報を鳴らし対応の対策を行い、ねらいがあり、最大時間を超えた場合、ドアを更にロックし、これにより最大限に不審者を警告し、ユーザーの財産安全を確保し、ユーザーの損失をさらに減らす。【選択図】図１
2020180535.tif 000002
【特許請求の範囲】
【請求項１】
正面視で、安全ドアを含み、前記安全ドアの中にはドア溝が設置され、前記ドア溝の中には駆動機構が設置され、前記駆動機構は駆動モータ、六つの三角形ブロック及び五つの方形ブロックを含み、前記駆動モータが装置の動力源として装置全体の作動を駆動し、前記三角形ブロックの回転が前記方形ブロックをプッシュし下へ移動させることができ、前記駆動機構はまた警報バー、起動バー、ロックブロック、台形ブロック及びストップブロックを含み、前記ロックブロックが前に運動するとき、前記台形ブロックをプッシュし前記三角形ブロックの逆方向へのリセットをストップする位置まで移動させ、前記駆動機構の右側には警報機構が設置され、前記警報機構の中において電線により電力を伝導し、前記警報機構は起動プラグ、軽警報プラグ及び強警報プラグを含み、前記起動バーが運動するとき前記起動プラグを右にプッシュし通電させ、前記ストップブロックが下に移動し位置を固定するときに前記起動プラグの左へのリセットをストップでき、前記警報バーが前記軽警報プラグと前記強警報プラグとをプッシュし右に運動し通電させることができ、前記警報機構はまた移動磁石と電気磁石を含み、前記警報機構の下側には検査測定機構が設置され、前記検査測定機構は重力ブロック、揺動磁石、動き磁石及び底部引掛り溝を含み、前記重力ブロックが下がるときに前記揺動磁石をプッシュし上昇させることができ、前記揺動磁石と前記移動磁石との退け合う力が前記移動磁石をプッシュし上昇させることができ、前記電気磁石が通電し作動するとき前記動き磁石を吸い前記底部引掛り溝の中まで上昇させ固定することを特徴とする警報ロック。
【請求項２】
前記検査測定機構は揺動磁石を含み、前記安全ドアの下側には右側にドア枠が固定される足踏み板が設置され、前記ドア枠の上端面の中には前記安全ドアとヒンジにより連結されるヒンジ連結溝が設置され、前記足踏み板の上端面には重力溝が設置され、前記重力溝の中には重力ブロックがスライドできるように設置され、前記重力ブロックの上端が前記重力溝の上端壁を貫通し、かつ外部空間の中に位置し、前記重力ブロックの下端面には下端が前記重力溝の下端壁と固定的に連結される五つの重力ばねが固定され、前記ヒンジ連結溝の下端壁の中には磁性溝が設置され、前記磁性溝の後端壁には動き磁石が上下にスライドできるように設置され、前記磁性溝の後端壁には定位バーが固定的に連結され、前記定位バーには揺動バーが回転できるように設置され、前記定位バーと前記揺動バーとの間にはトーションバネが設置され、前記揺動バーの上端面には揺動磁石が固定され、前記安全ドアの下端面の中には底部引掛り溝が設置されることを特徴とする請求項１に記載の警報ロック。
【請求項３】
前記駆動機構は伝動歯車を含み、前記ドア溝の後端壁の中にはロック溝が設置され、前記ロック溝の中にはロックブロックがスライドできるように設置され、前記ロックブロックの後端面には圧力ばねが上下に対称的に固定され、前記安全ドアの左端壁の中には前記ロック溝の後端壁と回転できるように連結されるキーシリンダが植設され、前記ドア溝の前端壁の中には固定溝が設置され、前記ドア溝の左端壁には伝動軸が回転できるように連結され、前記伝動軸には伝動歯車が固定され、前記ドア溝の上端壁の中には上端壁に昇降ばねが固定される昇降溝が設置され、前記昇降ばねの下端には前記昇降溝とスライドできるように連結される昇降バーが固定され、前記昇降バーの下端にはロープにより前記伝動軸と固定的に連結されるロングバーが固定され、前記ロングバーの下端面にはストップブロックが固定され、前記ドア溝の後端壁には中空ブロックが固定され、前記中空ブロックの中には移動溝が設置され、前記移動溝の右端壁には移動ばねが固定され、前記移動ばねの左端にはＴ形ブロックが固定され、
前記Ｔ形ブロックの下端には台形ブロックが固定され、前記ドア溝の後端壁には駆動軸を持つ駆動モータが固定され、前記駆動軸には扇状歯車が固定され、前記ドア溝の後端壁には移動溝が設置され、前記移動溝の中には移動ブロックがスライドできるように設置され、前記移動ブロックの中には弾性溝が設置され、前記弾性溝の後端壁には間欠軸が回転できるように連結され、前記間欠軸と前記弾性溝との間には抵抗ばねが設置され、前記間欠軸には円ブロックが固定され、前記円ブロックの外端面には六つの三角形ブロックが均一に固定され、前記間欠軸には連動歯車が固定的に連結され、前記ドア溝の後端壁には駆動プーリが固定されるプーリ軸が回転できるように連結され、前記ドア溝の後端壁の中には弾力溝が設置され、前記弾力溝の後端壁には弾力軸が回転できるように連結され、前記弾力軸と前記弾力溝との間には弾力ばねが設置され、前記弾力軸にはベルトコンベヤーにより前記駆動プーリと摩擦で伝動できる送り輪が固定され、前記ベルトコンベヤーの前端面の左側には五つの等距離の方形ブロックが固定され、前記ベルトコンベヤーの外端面の下側には警報バーが固定され、前記ベルトコンベヤーの外端面には起動バーが固定されることを特徴とする請求項１に記載の警報ロック。
【請求項４】
前記警報機構は電気磁石を含み、前記ドア溝の後端壁には推力バーが上下にスライドできるように設置され、前記推力バーの下端には移動磁石が固定され、前記ドア溝の後端壁には起動プラグが左右にスライドできるように設置され、前記起動プラグと前記駆動モータとが電線により連通し、前記ドア溝の後端壁には電源箱が固定され、前記電源箱の左端面には起動コンセントが設置され、前記起動コンセントの下端壁の中には強警報コンセントが設置され、前記強警報コンセントの下端壁の中には軽警報コンセントが設置され、前記起動プラグの右端面には前記電源箱の左端面と固定的に連結される起動ばねが上下に対称的に固定され、前記ドア溝の後端壁には強警報プラグが左右にスライドできるように設置され、前記強警報プラグの右端面には前記電源箱と固定的に連結される大型ばねが上下に対称的に固定され、前記ドア溝の後端壁には分流器が固定的に設置され、前記分流器と前記強警報プラグとが前記電線により連通し、前記ドア溝の後端壁には電気磁石、強警報器及びフィードバック器が固定され、前記フィードバック器、前記強警報器及び前記電気磁石と前記分流器とが前記電線により連通し、前記ドア溝の後端壁には軽警報プラグが左右にスライドできるように設置され、前記ドア溝の後端壁には前記電線により前記軽警報プラグと連通する軽警報器が固定されることを特徴とする請求項１に記載の警報ロック。
【発明の詳細な説明】
【技術分野】
【０００１】
本発明はロック分野を取り上げて、具体的には警報ロックである。
【背景技術】
【０００２】
警報ロックは危険なとき警報を発することができる斬新なロックであり、音声による警報とドアロックとの二つの機能を持ち、しかし既存のドアの警報ロックの警報機能が単一であり、状況に応じて異なる対策を採用することができなく、柔軟性が低い。
【先行技術文献】
【特許文献】
【０００３】
【特許文献１】中国特許出願公開第1328095号明細書
【発明の概要】
【発明が解決しようとする課題】
【０００４】
本発明の目的は警報ロックを提供し、それは上記の現在の技術中の問題を解決できる。
【課題を解決するための手段】
【０００５】
上記の課題を解決するため、本発明は以下の技術プランを採用する：警報ロックは、安全ドアを含み、前記安全ドアの中にはドア溝が設置され、前記ドア溝の中には駆動機構が設置され、前記駆動機構は駆動モータ、六つの三角形ブロック及び五つの方形ブロックを含み、前記駆動モータが装置の動力源として装置全体の作動を駆動し、前記三角形ブロックの回転が前記方形ブロックをプッシュし下へ移動させることができ、前記駆動機構はまた警報バー、起動バー、ロックブロック、台形ブロック及びストップブロックを含み、前記ロックブロックが前に運動するとき、前記台形ブロックをプッシュし前記三角形ブロックの逆方向へのリセットをストップする位置まで移動させ、前記駆動機構の右側には警報機構が設置され、前記警報機構の中において電線により電力を伝導し、前記警報機構は起動プラグ、軽警報プラグ及び強警報プラグを含み、前記起動バーが運動するとき前記起動プラグを右にプッシュし通電させ、前記ストップブロックが下に移動し位置を固定するときに前記起動プラグの左へのリセットをストップでき、前記警報バーが前記軽警報プラグと前記強警報プラグとをプッシュし右に運動し通電させることができ、前記警報機構はまた移動磁石と電気磁石を含み、前記警報機構の下側には検査測定機構が設置され、前記検査測定機構は重力ブロック、揺動磁石、動き磁石及び底部引掛り溝を含み、前記重力ブロックが下がるときに前記揺動磁石をプッシュし上昇させることができ、前記揺動磁石と前記移動磁石との退け合う力が前記移動磁石をプッシュし上昇させることができ、前記電気磁石が通電し作動するとき前記動き磁石を吸い前記底部引掛り溝の中まで上昇させ固定する。
【０００６】
有益的には、前記検査測定機構は揺動磁石を含み、前記安全ドアの下側には右側にドア枠が固定される足踏み板が設置され、前記ドア枠の上端面の中には前記安全ドアとヒンジにより連結されるヒンジ連結溝が設置され、前記足踏み板の上端面には重力溝が設置され、前記重力溝の中には重力ブロックがスライドできるように設置され、前記重力ブロックの上端が前記重力溝の上端壁を貫通し、かつ外部空間の中に位置し、前記重力ブロックの下端面には下端が前記重力溝の下端壁と固定的に連結される五つの重力ばねが固定され、前記ヒンジ連結溝の下端壁の中には磁性溝が設置され、前記磁性溝の後端壁には動き磁石が上下にスライドできるように設置され、前記磁性溝の後端壁には定位バーが固定的に連結され、前記定位バーには揺動バーが回転できるように設置され、前記定位バーと前記揺動バーとの間にはトーションバネが設置され、前記揺動バーの上端面には揺動磁石が固定され、前記安全ドアの下端面の中には底部引掛り溝が設置される。
【０００７】
有益的には、前記駆動機構は伝動歯車を含み、前記ドア溝の後端壁の中にはロック溝が設置され、前記ロック溝の中にはロックブロックがスライドできるように設置され、前記ロックブロックの後端面には圧力ばねが上下に対称的に固定され、前記安全ドアの左端壁の中には前記ロック溝の後端壁と回転できるように連結されるキーシリンダが植設され、前記ドア溝の前端壁の中には固定溝が設置され、前記ドア溝の左端壁には伝動軸が回転できるように連結され、前記伝動軸には伝動歯車が固定され、前記ドア溝の上端壁の中には上端壁に昇降ばねが固定される昇降溝が設置され、前記昇降ばねの下端には前記昇降溝とスライドできるように連結される昇降バーが固定され、前記昇降バーの下端にはロープにより前記伝動軸と固定的に連結されるロングバーが固定され、前記ロングバーの下端面にはストップブロックが固定され、前記ドア溝の後端壁には中空ブロックが固定され、前記中空ブロックの中には移動溝が設置され、前記移動溝の右端壁には移動ばねが固定され、前記移動ばねの左端にはＴ形ブロックが固定される。
【０００８】
前記Ｔ形ブロックの下端には台形ブロックが固定され、前記ドア溝の後端壁には駆動軸を持つ駆動モータが固定され、前記駆動軸には扇状歯車が固定され、前記ドア溝の後端壁には移動溝が設置され、前記移動溝の中には移動ブロックがスライドできるように設置され、前記移動ブロックの中には弾性溝が設置され、前記弾性溝の後端壁には間欠軸が回転できるように連結され、前記間欠軸と前記弾性溝との間には抵抗ばねが設置され、前記間欠軸には円ブロックが固定され、前記円ブロックの外端面には六つの三角形ブロックが均一に固定され、前記間欠軸には連動歯車が固定的に連結され、前記ドア溝の後端壁には駆動プーリが固定されるプーリ軸が回転できるように連結され、前記ドア溝の後端壁の中には弾力溝が設置され、前記弾力溝の後端壁には弾力軸が回転できるように連結され、前記弾力軸と前記弾力溝との間には弾力ばねが設置され、前記弾力軸にはベルトコンベヤーにより前記駆動プーリと摩擦で伝動できる送り輪が固定され、前記ベルトコンベヤーの前端面の左側には五つの等距離の方形ブロックが固定され、前記ベルトコンベヤーの外端面の下側には警報バーが固定され、前記ベルトコンベヤーの外端面には起動バーが固定される。
【０００９】
有益的には、前記警報機構は電気磁石を含み、前記ドア溝の後端壁には推力バーが上下にスライドできるように設置され、前記推力バーの下端には移動磁石が固定され、前記ドア溝の後端壁には起動プラグが左右にスライドできるように設置され、前記起動プラグと前記駆動モータとが電線により連通し、前記ドア溝の後端壁には電源箱が固定され、前記電源箱の左端面には起動コンセントが設置され、前記起動コンセントの下端壁の中には強警報コンセントが設置され、前記強警報コンセントの下端壁の中には軽警報コンセントが設置され、前記起動プラグの右端面には前記電源箱の左端面と固定的に連結される起動ばねが上下に対称的に固定され、前記ドア溝の後端壁には強警報プラグが左右にスライドできるように設置され、前記強警報プラグの右端面には前記電源箱と固定的に連結される大型ばねが上下に対称的に固定され、前記ドア溝の後端壁には分流器が固定的に設置され、前記分流器と前記強警報プラグとが前記電線により連通し、前記ドア溝の後端壁には電気磁石、強警報器及びフィードバック器が固定され、前記フィードバック器、前記強警報器及び前記電気磁石と前記分流器とが前記電線により連通し、前記ドア溝の後端壁には軽警報プラグが左右にスライドできるように設置され、前記ドア溝の後端壁には前記電線により前記軽警報プラグと連通する軽警報器が固定される。
【発明の効果】
【００１０】
以上により、本発明の有益的な効果は：装置がドアのところにいる人の立つ時間によって異なる警報を鳴らし対応の対策を行い、ねらいがあり、最大時間を超えた場合、ドアを更にロックし、これにより最大限に不審者を警告し、ユーザーの財産安全を確保し、ユーザーの損失をさらに減らす。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の警報ロックの全体全断面の正面構成略図
【図２】図２は本発明の警報ロックの連動歯車の拡大構成略図
【図３】図３は本発明の警報ロックのロックブロックの右面断面構成略図
【図４】図４は本発明の警報ロックの間欠軸の上面断面構成略図
【図５】図５は本発明の警報ロックの弾力軸の上面断面構成略図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１〜５に示すように、本発明が提供する実施例：警報ロックは、安全ドア１０を含み、前記安全ドア１０の中にはドア溝１１が設置され、前記ドア溝１１の中には駆動機構１８１が設置され、前記駆動機構１８１は駆動モータ１６２、六つの三角形ブロック１５６及び五つの方形ブロック１６７を含み、前記駆動モータ１６２が装置の動力源として装置全体の作動を駆動し、前記三角形ブロック１５６の回転が前記方形ブロック１６７をプッシュし下へ移動させることができ、前記駆動機構１８１はまた警報バー１２、起動バー１２５、ロックブロック１０５、台形ブロック１０８及びストップブロック１１９を含み、前記ロックブロック１０５が前に運動するとき、前記台形ブロック１０８をプッシュし前記三角形ブロック１５６の逆方向へのリセットをストップする位置まで移動させ、前記駆動機構１８１の右側には警報機構１８０が設置され、前記警報機構１８０の中において電線１１７により電力を伝導し、前記警報機構１８０は起動プラグ１２０、軽警報プラグ１３０及び強警報プラグ１３４を含み、前記起動バー１２５が運動するとき前記起動プラグ１２０を右にプッシュし通電させ、前記ストップブロック１１９が下に移動し位置を固定するときに前記起動プラグ１２０の左へのリセットをストップでき、前記警報バー１２が前記軽警報プラグ１３０と前記強警報プラグ１３４とをプッシュし右に運動し通電させることができ、前記警報機構１８０はまた移動磁石１５４と電気磁石１３７を含み、前記警報機構１８０の下側には検査測定機構１８２が設置され、前記検査測定機構１８２は重力ブロック１５３、揺動磁石１４６、動き磁石１４２及び底部引掛り溝１３９を含み、前記重力ブロック１５３が下がるときに前記揺動磁石１４６をプッシュし上昇させることができ、前記揺動磁石１４６と前記移動磁石１５４との退け合う力が前記移動磁石１５４をプッシュし上昇させることができ、前記電気磁石１３７が通電し作動するとき前記動き磁石１４２を吸い前記底部引掛り溝１３９の中まで上昇させ固定する。
【００１５】
有益的には、前記検査測定機構１８２は揺動磁石１４６を含み、前記安全ドア１０の下側には右側にドア枠１４０が固定される足踏み板１５２が設置され、前記ドア枠１４０の上端面の中には前記安全ドア１０とヒンジにより連結されるヒンジ連結溝１３８が設置され、前記足踏み板１５２の上端面には重力溝１５１が設置され、前記重力溝１５１の中には重力ブロック１５３がスライドできるように設置され、前記重力ブロック１５３の上端が前記重力溝１５１の上端壁を貫通し、かつ外部空間の中に位置し、前記重力ブロック１５３の下端面には下端が前記重力溝１５１の下端壁と固定的に連結される五つの重力ばね１５０が固定され、前記ヒンジ連結溝１３８の下端壁の中には磁性溝１４５が設置され、前記磁性溝１４５の後端壁には動き磁石１４２が上下にスライドできるように設置され、前記磁性溝１４５の後端壁には定位バー１４７が固定的に連結され、前記定位バー１４７には揺動バー１４９が回転できるように設置され、前記定位バー１４７と前記揺動バー１４９との間にはトーションバネ１４８が設置され、前記揺動バー１４９の上端面には揺動磁石１４６が固定され、前記安全ドア１０の下端面の中には底部引掛り溝１３９が設置される。
【００１６】
有益的には、前記駆動機構１８１は伝動歯車１１０を含み、前記ドア溝１１の後端壁の中にはロック溝１０４が設置され、前記ロック溝１０４の中にはロックブロック１０５がスライドできるように設置され、前記ロックブロック１０５の後端面には圧力ばね１７１が上下に対称的に固定され、前記安全ドア１０の左端壁の中には前記ロック溝１０４の後端壁と回転できるように連結されるキーシリンダ１０７が植設され、前記ドア溝１１の前端壁の中には固定溝１４１が設置され、前記ドア溝１１の左端壁には伝動軸１１１が回転できるように連結され、前記伝動軸１１１には伝動歯車１１０が固定され、前記ドア溝１１の上端壁の中には上端壁に昇降ばね１１６が固定される昇降溝１１５が設置され、前記昇降ばね１１６の下端には前記昇降溝１１５とスライドできるように連結される昇降バー１１４が固定され、前記昇降バー１１４の下端にはロープ１１２により前記伝動軸１１１と固定的に連結されるロングバー１１３が固定され、前記ロングバー１１３の下端面にはストップブロック１１９が固定され、前記ドア溝１１の後端壁には中空ブロック１６１が固定され、前記中空ブロック１６１の中には移動溝１５９が設置され、前記移動溝１５９の右端壁には移動ばね１６０が固定され、前記移動ばね１６０の左端にはＴ形ブロック１５８が固定される。
【００１７】
前記Ｔ形ブロック１５８の下端には台形ブロック１０８が固定され、前記ドア溝１１の後端壁には駆動軸１６３を持つ駆動モータ１６２が固定され、前記駆動軸１６３には扇状歯車１６４が固定され、前記ドア溝１１の後端壁には移動溝１６８が設置され、前記移動溝１６８の中には移動ブロック１５７がスライドできるように設置され、前記移動ブロック１５７の中には弾性溝１７２が設置され、前記弾性溝１７２の後端壁には間欠軸１６９が回転できるように連結され、前記間欠軸１６９と前記弾性溝１７２との間には抵抗ばね１７５が設置され、前記間欠軸１６９には円ブロック１７０が固定され、前記円ブロック１７０の外端面には六つの三角形ブロック１５６が均一に固定され、前記間欠軸１６９には連動歯車１０６が固定的に連結され、前記ドア溝１１の後端壁には駆動プーリ１６５が固定されるプーリ軸１６６が回転できるように連結され、前記ドア溝１１の後端壁の中には弾力溝１７３が設置され、前記弾力溝１７３の後端壁には弾力軸１２９が回転できるように連結され、前記弾力軸１２９と前記弾力溝１７３との間には弾力ばね１７４が設置され、前記弾力軸１２９にはベルトコンベヤー１３により前記駆動プーリ１６５と摩擦で伝動できる送り輪１３５が固定され、前記ベルトコンベヤー１３の前端面の左側には五つの等距離の方形ブロック１６７が固定され、前記ベルトコンベヤー１３の外端面の下側には警報バー１２が固定され、前記ベルトコンベヤー１３の外端面には起動バー１２５が固定される。
【００１８】
有益的には、前記警報機構１８０は電気磁石１３７を含み、前記ドア溝１１の後端壁には推力バー１５５が上下にスライドできるように設置され、前記推力バー１５５の下端には移動磁石１５４が固定され、前記ドア溝１１の後端壁には起動プラグ１２０が左右にスライドできるように設置され、前記起動プラグ１２０と前記駆動モータ１６２とが電線１１７により連通し、前記ドア溝１１の後端壁には電源箱１２４が固定され、前記電源箱１２４の左端面には起動コンセント１２３が設置され、前記起動コンセント１２３の下端壁の中には強警報コンセント１２７が設置され、前記強警報コンセント１２７の下端壁の中には軽警報コンセント１３２が設置され、前記起動プラグ１２０の右端面には前記電源箱１２４の左端面と固定的に連結される起動ばね１２２が上下に対称的に固定され、前記ドア溝１１の後端壁には強警報プラグ１３４が左右にスライドできるように設置され、前記強警報プラグ１３４の右端面には前記電源箱１２４と固定的に連結される大型ばね１３１が上下に対称的に固定され、前記ドア溝１１の後端壁には分流器１３６が固定的に設置され、前記分流器１３６と前記強警報プラグ１３４とが前記電線１１７により連通し、前記ドア溝１１の後端壁には電気磁石１３７、強警報器１４３及びフィードバック器１４４が固定され、前記フィードバック器１４４、前記強警報器１４３及び前記電気磁石１３７と前記分流器１３６とが前記電線１１７により連通し、前記ドア溝１１の後端壁には軽警報プラグ１３０が左右にスライドできるように設置され、前記ドア溝１１の後端壁には前記電線１１７により前記軽警報プラグ１３０と連通する軽警報器１３３が固定される。
【００１９】
下記に、出願人は図１〜５と上記に記述した本出願の警報ロックの具体的な構成を参考し、本出願の警報ロックの使用方法を詳しく紹介する：
【００２０】
使用するとき、電源箱１２４を開き、鍵で前記ロックブロック１０５をプッシュし前記固定溝１４１の中に入らせてドアをロックし、前記ロックブロック１０５が前に移動し前記台形ブロック１０８をプッシュし右に移動させ前記伝動歯車１１０と噛合させ、これにより前記ロープ１１２を巻き、これにより前記ストップブロック１１９を駆動し下がらせ前記起動プラグ１２０をストップさせ、このとき、不審者が前記重力ブロック１５３に立てば、前記重力ブロック１５３をプッシュし降下させ、前記揺動磁石１４６を上昇連動させる。
【００２１】
また、揺動磁石１４６と移動磁石１５４との間には退け合う力があり、移動磁石１５４をプッシュし上昇させ、これにより連動歯車１０６を扇状歯車１６４と噛合するまで上昇連動させ、起動バー１２５がベルトコンベヤー１３と共に移動し起動プラグ１２０をプッシュし起動コンセント１２３の中に插入し、電源箱１２４が電線１１７により駆動モータ１６２を起動させ、これにより駆動軸１６３を回転連動させ、扇状歯車１６４と連動歯車１０６との噛合伝動により連動歯車１０６を間欠に回転連動させ、これによりベルトコンベヤー１３を反時計回りに回転連動させ、人が重力ブロック１５３にしばらく立った後、警報バー１２が軽警報プラグ１３０をプッシュし軽警報コンセント１３２に入らせ通電し、これにより軽警報器１３３が通電し、警報が鳴り、人に重力ブロック１５３から離れるまたはドアを開くことを注意する。
【００２２】
人が移動ブロック１５７から離れると、ベルトコンベヤー１３が時計回りで一定の距離に回転し警報を解除し、人が足踏み板１５２に立ち続けると、警報バー１２が上に移動し軽警報プラグ１３０から離脱され、警報が解除され、警報バー１２が移動し続け強警報プラグ１３４をプッシュし右に移動させ強警報コンセント１２７の中に入らせ通電し、フィードバック器１４４、強警報器１４３及び電気磁石１３７を通電し作業させ、フィードバック器１４４が通電しユーザーの端末に警報を送り、強警報器１４３が通電し激しい警報を鳴らし、電気磁石１３７が通電し動き磁石１４２を吸い上に移動させ底部引掛り溝１３９の中に入らせ、安全ドア１０を更にロックし、再び鍵を插入して回すと装置がリセットできる。
【００２３】
本発明の有益的な効果は：装置がドアのところにいる人の立つ時間によって異なる警報を鳴らし対応の対策を行い、ねらいがあり、最大時間を超えた場合、ドアを更にロックし、これにより最大限に不審者を警告し、ユーザーの財産安全を確保し、ユーザーの損失をさらに減らす。
【００２４】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020180535.tif 000003
【図２】
2020180535.tif 000004
【図３】
2020180535.tif 000005
【図４】
2020180535.tif 000006
【図５】
2020180535.tif 000007
【手続補正書】
【提出日】令和1年6月19日(2019.6.19)
【手続補正１】
【補正対象書類名】特許請求の範囲
【補正対象項目名】請求項３
【補正方法】変更
【補正の内容】
【請求項３】
前記駆動機構は伝動歯車を含み、前記ドア溝の後端壁の中にはロック溝が設置され、前記ロック溝の中にはロックブロックがスライドできるように設置され、前記ロックブロックの後端面には圧力ばねが上下に対称的に固定され、前記安全ドアの左端壁の中には前記ロック溝の後端壁と回転できるように連結されるキーシリンダが植設され、前記ドア枠の中には固定溝が設置され、前記ドア溝の左端壁には伝動軸が回転できるように連結され、前記伝動軸には伝動歯車が固定され、前記ドア溝の上端壁の中には上端壁に昇降ばねが固定される昇降溝が設置され、前記昇降ばねの下端には前記昇降溝とスライドできるように連結される昇降バーが固定され、前記昇降バーの下端にはロープにより前記伝動軸と固定的に連結されるロングバーが固定され、前記ロングバーの下端面にはストップブロックが固定され、前記ドア溝の後端壁には中空ブロックが固定され、前記中空ブロックの中には移動溝が設置され、前記移動溝の右端壁には移動ばねが固定され、前記移動ばねの左端にはＴ形ブロックが固定され、
前記Ｔ形ブロックの下端には台形ブロックが固定され、前記ドア溝の後端壁には駆動軸を持つ駆動モータが固定され、前記駆動軸には扇状歯車が固定され、前記ドア溝の後端壁には移動溝が設置され、前記移動溝の中には移動ブロックがスライドできるように設置され、前記移動ブロックの中には弾性溝が設置され、前記弾性溝の後端壁には間欠軸が回転できるように連結され、前記間欠軸と前記弾性溝との間には抵抗ばねが設置され、前記間欠軸には円ブロックが固定され、前記円ブロックの外端面には六つの三角形ブロックが均一に固定され、前記間欠軸には連動歯車が固定的に連結され、前記ドア溝の後端壁には駆動プーリが固定されるプーリ軸が回転できるように連結され、前記ドア溝の後端壁の中には弾力溝が設置され、前記弾力溝の後端壁には弾力軸が回転できるように連結され、前記弾力軸と前記弾力溝との間には弾力ばねが設置され、前記弾力軸にはベルトコンベヤーにより前記駆動プーリと摩擦で伝動できる送り輪が固定され、前記ベルトコンベヤーの前端面の左側には五つの等距離の方形ブロックが固定され、前記ベルトコンベヤーの外端面の下側には警報バーが固定され、前記ベルトコンベヤーの外端面には起動バーが固定されることを特徴とする請求項１に記載の警報ロック。
【手続補正２】
【補正対象書類名】明細書
【補正対象項目名】全文
【補正方法】変更
【補正の内容】
【発明の詳細な説明】
【技術分野】
【０００１】
本発明はロック分野を取り上げて、具体的には警報ロックである。
【背景技術】
【０００２】
警報ロックは危険なとき警報を発することができる斬新なロックであり、音声による警報とドアロックとの二つの機能を持ち、しかし既存のドアの警報ロックの警報機能が単一であり、状況に応じて異なる対策を採用することができなく、柔軟性が低い。
【先行技術文献】
【特許文献】
【０００３】
【特許文献１】中国特許第1328095号明細書
【発明の概要】
【発明が解決しようとする課題】
【０００４】
本発明の目的は警報ロックを提供し、それは上記の現在の技術中の問題を解決できる。
【課題を解決するための手段】
【０００５】
上記の課題を解決するため、本発明は以下の技術プランを採用する：警報ロックは、安全ドアを含み、前記安全ドアの中にはドア溝が設置され、前記ドア溝の中には駆動機構が設置され、前記駆動機構は駆動モータ、六つの三角形ブロック及び五つの方形ブロックを含み、前記駆動モータが装置の動力源として装置全体の作動を駆動し、前記三角形ブロックの回転が前記方形ブロックをプッシュし下へ移動させることができ、前記駆動機構はまた警報バー、起動バー、ロックブロック、台形ブロック及びストップブロックを含み、前記ロックブロックが前に運動するとき、前記台形ブロックをプッシュし前記三角形ブロックの逆方向へのリセットをストップする位置まで移動させ、前記駆動機構の右側には警報機構が設置され、前記警報機構の中において電線により電力を伝導し、前記警報機構は起動プラグ、軽警報プラグ及び強警報プラグを含み、前記起動バーが運動するとき前記起動プラグを右にプッシュし通電させ、前記ストップブロックが下に移動し位置を固定するときに前記起動プラグの左へのリセットをストップでき、前記警報バーが前記軽警報プラグと前記強警報プラグとをプッシュし右に運動し通電させることができ、前記警報機構はまた移動磁石と電気磁石を含み、前記警報機構の下側には検査測定機構が設置され、前記検査測定機構は重力ブロック、揺動磁石、動き磁石及び底部引掛り溝を含み、前記重力ブロックが下がるときに前記揺動磁石をプッシュし上昇させることができ、前記揺動磁石と前記移動磁石との退け合う力が前記移動磁石をプッシュし上昇させることができ、前記電気磁石が通電し作動するとき前記動き磁石を吸い前記底部引掛り溝の中まで上昇させ固定する。
【０００６】
有益的には、前記検査測定機構は揺動磁石を含み、前記安全ドアの下側には右側にドア枠が固定される足踏み板が設置され、前記ドア枠の上端面の中には前記安全ドアとヒンジにより連結されるヒンジ連結溝が設置され、前記足踏み板の上端面には重力溝が設置され、前記重力溝の中には重力ブロックがスライドできるように設置され、前記重力ブロックの上端が前記重力溝の上端壁を貫通し、かつ外部空間の中に位置し、前記重力ブロックの下端面には下端が前記重力溝の下端壁と固定的に連結される五つの重力ばねが固定され、前記ヒンジ連結溝の下端壁の中には磁性溝が設置され、前記磁性溝の後端壁には動き磁石が上下にスライドできるように設置され、前記磁性溝の後端壁には定位バーが固定的に連結され、前記定位バーには揺動バーが回転できるように設置され、前記定位バーと前記揺動バーとの間にはトーションバネが設置され、前記揺動バーの上端面には揺動磁石が固定され、前記安全ドアの下端面の中には底部引掛り溝が設置される。
【０００７】
有益的には、前記駆動機構は伝動歯車を含み、前記ドア溝の後端壁の中にはロック溝が設置され、前記ロック溝の中にはロックブロックがスライドできるように設置され、前記ロックブロックの後端面には圧力ばねが上下に対称的に固定され、前記安全ドアの左端壁の中には前記ロック溝の後端壁と回転できるように連結されるキーシリンダが植設され、前記ドア枠の中には固定溝が設置され、前記ドア溝の左端壁には伝動軸が回転できるように連結され、前記伝動軸には伝動歯車が固定され、前記ドア溝の上端壁の中には上端壁に昇降ばねが固定される昇降溝が設置され、前記昇降ばねの下端には前記昇降溝とスライドできるように連結される昇降バーが固定され、前記昇降バーの下端にはロープにより前記伝動軸と固定的に連結されるロングバーが固定され、前記ロングバーの下端面にはストップブロックが固定され、前記ドア溝の後端壁には中空ブロックが固定され、前記中空ブロックの中には移動溝が設置され、前記移動溝の右端壁には移動ばねが固定され、前記移動ばねの左端にはＴ形ブロックが固定される。
【０００８】
前記Ｔ形ブロックの下端には台形ブロックが固定され、前記ドア溝の後端壁には駆動軸を持つ駆動モータが固定され、前記駆動軸には扇状歯車が固定され、前記ドア溝の後端壁には移動溝が設置され、前記移動溝の中には移動ブロックがスライドできるように設置され、前記移動ブロックの中には弾性溝が設置され、前記弾性溝の後端壁には間欠軸が回転できるように連結され、前記間欠軸と前記弾性溝との間には抵抗ばねが設置され、前記間欠軸には円ブロックが固定され、前記円ブロックの外端面には六つの三角形ブロックが均一に固定され、前記間欠軸には連動歯車が固定的に連結され、前記ドア溝の後端壁には駆動プーリが固定されるプーリ軸が回転できるように連結され、前記ドア溝の後端壁の中には弾力溝が設置され、前記弾力溝の後端壁には弾力軸が回転できるように連結され、前記弾力軸と前記弾力溝との間には弾力ばねが設置され、前記弾力軸にはベルトコンベヤーにより前記駆動プーリと摩擦で伝動できる送り輪が固定され、前記ベルトコンベヤーの前端面の左側には五つの等距離の方形ブロックが固定され、前記ベルトコンベヤーの外端面の下側には警報バーが固定され、前記ベルトコンベヤーの外端面には起動バーが固定される。
【０００９】
有益的には、前記警報機構は電気磁石を含み、前記ドア溝の後端壁には推力バーが上下にスライドできるように設置され、前記推力バーの下端には移動磁石が固定され、前記ドア溝の後端壁には起動プラグが左右にスライドできるように設置され、前記起動プラグと前記駆動モータとが電線により連通し、前記ドア溝の後端壁には電源箱が固定され、前記電源箱の左端面には起動コンセントが設置され、前記起動コンセントの下端壁の中には強警報コンセントが設置され、前記強警報コンセントの下端壁の中には軽警報コンセントが設置され、前記起動プラグの右端面には前記電源箱の左端面と固定的に連結される起動ばねが上下に対称的に固定され、前記ドア溝の後端壁には強警報プラグが左右にスライドできるように設置され、前記強警報プラグの右端面には前記電源箱と固定的に連結される大型ばねが上下に対称的に固定され、前記ドア溝の後端壁には分流器が固定的に設置され、前記分流器と前記強警報プラグとが前記電線により連通し、前記ドア溝の後端壁には電気磁石、強警報器及びフィードバック器が固定され、前記フィードバック器、前記強警報器及び前記電気磁石と前記分流器とが前記電線により連通し、前記ドア溝の後端壁には軽警報プラグが左右にスライドできるように設置され、前記ドア溝の後端壁には前記電線により前記軽警報プラグと連通する軽警報器が固定される。
【発明の効果】
【００１０】
以上により、本発明の有益的な効果は：装置がドアのところにいる人の立つ時間によって異なる警報を鳴らし対応の対策を行い、ねらいがあり、最大時間を超えた場合、ドアを更にロックし、これにより最大限に不審者を警告し、ユーザーの財産安全を確保し、ユーザーの損失をさらに減らす。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の警報ロックの全体全断面の正面構成略図
【図２】図２は本発明の警報ロックの連動歯車の拡大構成略図
【図３】図３は本発明の警報ロックのロックブロックの右面断面構成略図
【図４】図４は本発明の警報ロックの間欠軸の上面断面構成略図
【図５】図５は本発明の警報ロックの弾力軸の上面断面構成略図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１〜５に示すように、本発明が提供する実施例：警報ロックは、安全ドア１０を含み、前記安全ドア１０の中にはドア溝１１が設置され、前記ドア溝１１の中には駆動機構１８１が設置され、前記駆動機構１８１は駆動モータ１６２、六つの三角形ブロック１５６及び五つの方形ブロック１６７を含み、前記駆動モータ１６２が装置の動力源として装置全体の作動を駆動し、前記三角形ブロック１５６の回転が前記方形ブロック１６７をプッシュし下へ移動させることができ、前記駆動機構１８１はまた警報バー１２、起動バー１２５、ロックブロック１０５、台形ブロック１０８及びストップブロック１１９を含み、前記ロックブロック１０５が前に運動するとき、前記台形ブロック１０８をプッシュし前記三角形ブロック１５６の逆方向へのリセットをストップする位置まで移動させ、前記駆動機構１８１の右側には警報機構１８０が設置され、前記警報機構１８０の中において電線１１７により電力を伝導し、前記警報機構１８０は起動プラグ１２０、軽警報プラグ１３０及び強警報プラグ１３４を含み、前記起動バー１２５が運動するとき前記起動プラグ１２０を右にプッシュし通電させ、前記ストップブロック１１９が下に移動し位置を固定するときに前記起動プラグ１２０の左へのリセットをストップでき、前記警報バー１２が前記軽警報プラグ１３０と前記強警報プラグ１３４とをプッシュし右に運動し通電させることができ、前記警報機構１８０はまた移動磁石１５４と電気磁石１３７を含み、前記警報機構１８０の下側には検査測定機構１８２が設置され、前記検査測定機構１８２は重力ブロック１５３、揺動磁石１４６、動き磁石１４２及び底部引掛り溝１３９を含み、前記重力ブロック１５３が下がるときに前記揺動磁石１４６をプッシュし上昇させることができ、前記揺動磁石１４６と前記移動磁石１５４との退け合う力が前記移動磁石１５４をプッシュし上昇させることができ、前記電気磁石１３７が通電し作動するとき前記動き磁石１４２を吸い前記底部引掛り溝１３９の中まで上昇させ固定する。
【００１５】
有益的には、前記検査測定機構１８２は揺動磁石１４６を含み、前記安全ドア１０の下側には右側にドア枠１４０が固定される足踏み板１５２が設置され、前記ドア枠１４０の上端面の中には前記安全ドア１０とヒンジにより連結されるヒンジ連結溝１３８が設置され、前記足踏み板１５２の上端面には重力溝１５１が設置され、前記重力溝１５１の中には重力ブロック１５３がスライドできるように設置され、前記重力ブロック１５３の上端が前記重力溝１５１の上端壁を貫通し、かつ外部空間の中に位置し、前記重力ブロック１５３の下端面には下端が前記重力溝１５１の下端壁と固定的に連結される五つの重力ばね１５０が固定され、前記ヒンジ連結溝１３８の下端壁の中には磁性溝１４５が設置され、前記磁性溝１４５の後端壁には動き磁石１４２が上下にスライドできるように設置され、前記磁性溝１４５の後端壁には定位バー１４７が固定的に連結され、前記定位バー１４７には揺動バー１４９が回転できるように設置され、前記定位バー１４７と前記揺動バー１４９との間にはトーションバネ１４８が設置され、前記揺動バー１４９の上端面には揺動磁石１４６が固定され、前記安全ドア１０の下端面の中には底部引掛り溝１３９が設置される。
【００１６】
有益的には、前記駆動機構１８１は伝動歯車１１０を含み、前記ドア溝１１の後端壁の中にはロック溝１０４が設置され、前記ロック溝１０４の中にはロックブロック１０５がスライドできるように設置され、前記ロックブロック１０５の後端面には圧力ばね１７１が上下に対称的に固定され、前記安全ドア１０の左端壁の中には前記ロック溝１０４の後端壁と回転できるように連結されるキーシリンダ１０７が植設され、前記ドア枠１４０の中には固定溝１４１が設置され、前記ドア溝１１の左端壁には伝動軸１１１が回転できるように連結され、前記伝動軸１１１には伝動歯車１１０が固定され、前記ドア溝１１の上端壁の中には上端壁に昇降ばね１１６が固定される昇降溝１１５が設置され、前記昇降ばね１１６の下端には前記昇降溝１１５とスライドできるように連結される昇降バー１１４が固定され、前記昇降バー１１４の下端にはロープ１１２により前記伝動軸１１１と固定的に連結されるロングバー１１３が固定され、前記ロングバー１１３の下端面にはストップブロック１１９が固定され、前記ドア溝１１の後端壁には中空ブロック１６１が固定され、前記中空ブロック１６１の中には移動溝１５９が設置され、前記移動溝１５９の右端壁には移動ばね１６０が固定され、前記移動ばね１６０の左端にはＴ形ブロック１５８が固定される。
【００１７】
前記Ｔ形ブロック１５８の下端には台形ブロック１０８が固定され、前記ドア溝１１の後端壁には駆動軸１６３を持つ駆動モータ１６２が固定され、前記駆動軸１６３には扇状歯車１６４が固定され、前記ドア溝１１の後端壁には移動溝１６８が設置され、前記移動溝１６８の中には移動ブロック１５７がスライドできるように設置され、前記移動ブロック１５７の中には弾性溝１７２が設置され、前記弾性溝１７２の後端壁には間欠軸１６９が回転できるように連結され、前記間欠軸１６９と前記弾性溝１７２との間には抵抗ばね１７５が設置され、前記間欠軸１６９には円ブロック１７０が固定され、前記円ブロック１７０の外端面には六つの三角形ブロック１５６が均一に固定され、前記間欠軸１６９には連動歯車１０６が固定的に連結され、前記ドア溝１１の後端壁には駆動プーリ１６５が固定されるプーリ軸１６６が回転できるように連結され、前記ドア溝１１の後端壁の中には弾力溝１７３が設置され、前記弾力溝１７３の後端壁には弾力軸１２９が回転できるように連結され、前記弾力軸１２９と前記弾力溝１７３との間には弾力ばね１７４が設置され、前記弾力軸１２９にはベルトコンベヤー１３により前記駆動プーリ１６５と摩擦で伝動できる送り輪１３５が固定され、前記ベルトコンベヤー１３の前端面の左側には五つの等距離の方形ブロック１６７が固定され、前記ベルトコンベヤー１３の外端面の下側には警報バー１２が固定され、前記ベルトコンベヤー１３の外端面には起動バー１２５が固定される。
【００１８】
有益的には、前記警報機構１８０は電気磁石１３７を含み、前記ドア溝１１の後端壁には推力バー１５５が上下にスライドできるように設置され、前記推力バー１５５の下端には移動磁石１５４が固定され、前記ドア溝１１の後端壁には起動プラグ１２０が左右にスライドできるように設置され、前記起動プラグ１２０と前記駆動モータ１６２とが電線１１７により連通し、前記ドア溝１１の後端壁には電源箱１２４が固定され、前記電源箱１２４の左端面には起動コンセント１２３が設置され、前記起動コンセント１２３の下端壁の中には強警報コンセント１２７が設置され、前記強警報コンセント１２７の下端壁の中には軽警報コンセント１３２が設置され、前記起動プラグ１２０の右端面には前記電源箱１２４の左端面と固定的に連結される起動ばね１２２が上下に対称的に固定され、前記ドア溝１１の後端壁には強警報プラグ１３４が左右にスライドできるように設置され、前記強警報プラグ１３４の右端面には前記電源箱１２４と固定的に連結される大型ばね１３１が上下に対称的に固定され、前記ドア溝１１の後端壁には分流器１３６が固定的に設置され、前記分流器１３６と前記強警報プラグ１３４とが前記電線１１７により連通し、前記ドア溝１１の後端壁には電気磁石１３７、強警報器１４３及びフィードバック器１４４が固定され、前記フィードバック器１４４、前記強警報器１４３及び前記電気磁石１３７と前記分流器１３６とが前記電線１１７により連通し、前記ドア溝１１の後端壁には軽警報プラグ１３０が左右にスライドできるように設置され、前記ドア溝１１の後端壁には前記電線１１７により前記軽警報プラグ１３０と連通する軽警報器１３３が固定される。
【００１９】
下記に、出願人は図１〜５と上記に記述した本出願の警報ロックの具体的な構成を参考し、本出願の警報ロックの使用方法を詳しく紹介する：
【００２０】
使用するとき、電源箱１２４をオンにし、電源箱１２４により起動プラグ１２０と、軽警報プラグ１３０と、強警報プラグ１３４とを通電させ、鍵で前記ロックブロック１０５をプッシュし前記固定溝１４１の中に入らせてドアをロックし、前記ロックブロック１０５が前に移動し前記台形ブロック１０８をプッシュし右に移動させ前記伝動歯車１１０と噛合させ、これにより前記ロープ１１２を巻き、これにより前記ストップブロック１１９を駆動し下がらせ前記起動プラグ１２０をストップさせ、このとき、不審者が前記重力ブロック１５３に立てば、前記重力ブロック１５３をプッシュし降下させ、前記揺動磁石１４６を上昇連動させる。
【００２１】
また、揺動磁石１４６と移動磁石１５４との間には退け合う力があり、移動磁石１５４をプッシュし上昇させ、これにより連動歯車１０６を扇状歯車１６４と噛合するまで上昇連動させ、起動バー１２５がベルトコンベヤー１３と共に移動し起動プラグ１２０をプッシュし起動コンセント１２３の中に插入し、電源箱１２４が電線１１７により駆動モータ１６２を起動させ、これにより駆動軸１６３を回転連動させ、扇状歯車１６４と連動歯車１０６との噛合伝動により連動歯車１０６を間欠に回転連動させ、これによりベルトコンベヤー１３を反時計回りに回転連動させ、人が重力ブロック１５３にしばらく立った後、警報バー１２が軽警報プラグ１３０をプッシュし軽警報コンセント１３２に入らせ通電し、これにより軽警報器１３３が通電し、警報が鳴り、人に重力ブロック１５３から離れるまたはドアを開くことを注意する。
【００２２】
人が移動ブロック１５７から離れると、ベルトコンベヤー１３が時計回りで一定の距離に回転し警報を解除し、人が足踏み板１５２に立ち続けると、警報バー１２が上に移動し軽警報プラグ１３０から離脱され、警報が解除され、警報バー１２が移動し続け強警報プラグ１３４をプッシュし右に移動させ強警報コンセント１２７の中に入らせ通電し、フィードバック器１４４、強警報器１４３及び電気磁石１３７を通電し作業させ、フィードバック器１４４が通電しユーザーの端末に警報を送り、強警報器１４３が通電し激しい警報を鳴らし、電気磁石１３７が通電し動き磁石１４２を吸い上に移動させ底部引掛り溝１３９の中に入らせ、安全ドア１０を更にロックし、再び鍵を插入して回すと装置がリセットできる。
【００２３】
本発明の有益的な効果は：装置がドアのところにいる人の立つ時間によって異なる警報を鳴らし対応の対策を行い、ねらいがあり、最大時間を超えた場合、ドアを更にロックし、これにより最大限に不審者を警告し、ユーザーの財産安全を確保し、ユーザーの損失をさらに減らす。
【００２４】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和1年12月18日(2019.12.18)
【手続補正１】
【補正対象書類名】明細書
【補正対象項目名】全文
【補正方法】変更
【補正の内容】
【発明の詳細な説明】
【技術分野】
【０００１】
本発明はロック分野を取り上げて、具体的には警報ロックである。
【背景技術】
【０００２】
警報ロックは危険なとき警報を発することができる斬新なロックであり、音声による警報とドアロックとの二つの機能を持ち、しかし既存のドアの警報ロックの警報機能が単一であり、状況に応じて異なる対策を採用することができなく、柔軟性が低い。
【先行技術文献】
【特許文献】
【０００３】
【特許文献１】中国特許第1328095号明細書
【発明の概要】
【発明が解決しようとする課題】
【０００４】
本発明の目的は警報ロックを提供し、それは上記の現在の技術中の問題を解決できる。
【課題を解決するための手段】
【０００５】
上記の課題を解決するため、本発明は以下の技術プランを採用する：警報ロックは、安全ドアを含み、前記安全ドアの中にはドア溝が設置され、前記ドア溝の中には駆動機構が設置され、前記駆動機構は駆動モータ、六つの三角形ブロック及び五つの方形ブロックを含み、前記駆動モータが装置の動力源として装置全体の作動を駆動し、前記三角形ブロックの回転が前記方形ブロックをプッシュし下へ移動させることができ、前記駆動機構はまた警報バー、起動バー、ロックブロック、台形ブロック及びストップブロックを含み、前記ロックブロックが前に運動するとき、前記台形ブロックをプッシュし前記三角形ブロックの逆方向へのリセットをストップする位置まで移動させ、前記駆動機構の右側には警報機構が設置され、前記警報機構の中において電線により電力を伝導し、前記警報機構は起動プラグ、軽警報プラグ及び強警報プラグを含み、前記起動バーが運動するとき前記起動プラグを右にプッシュし通電させ、前記ストップブロックが下に移動し位置を固定するときに前記起動プラグの左へのリセットをストップでき、前記警報バーが前記軽警報プラグと前記強警報プラグとをプッシュし右に運動し通電させることができ、前記警報機構はまた移動磁石と電気磁石を含み、前記警報機構の下側には検査測定機構が設置され、前記検査測定機構は重力ブロック、揺動磁石、動き磁石及び底部引掛り溝を含み、前記重力ブロックが下がるときに前記揺動磁石をプッシュし上昇させることができ、前記揺動磁石と前記移動磁石との退け合う力が前記移動磁石をプッシュし上昇させることができ、前記電気磁石が通電し作動するとき前記動き磁石を吸い前記底部引掛り溝の中まで上昇させ固定する。
【０００６】
有益的には、前記検査測定機構は揺動磁石を含み、前記安全ドアの下側には右側にドア枠が固定される足踏み板が設置され、前記ドア枠の上端面の中には前記安全ドアとヒンジにより連結されるヒンジ連結溝が設置され、前記足踏み板の上端面には重力溝が設置され、前記重力溝の中には重力ブロックがスライドできるように設置され、前記重力ブロックの上端が前記重力溝の上端壁を貫通し、かつ外部空間の中に位置し、前記重力ブロックの下端面には下端が前記重力溝の下端壁と固定的に連結される五つの重力ばねが固定され、前記ヒンジ連結溝の下端壁の中には磁性溝が設置され、前記磁性溝の後端壁には動き磁石が上下にスライドできるように設置され、前記磁性溝の後端壁には定位バーが固定的に連結され、前記定位バーには揺動バーが回転できるように設置され、前記定位バーと前記揺動バーとの間にはトーションバネが設置され、前記揺動バーの上端面には揺動磁石が固定され、前記安全ドアの下端面の中には底部引掛り溝が設置される。
【０００７】
有益的には、前記駆動機構は伝動歯車を含み、前記ドア溝の後端壁の中にはロック溝が設置され、前記ロック溝の中にはロックブロックがスライドできるように設置され、前記ロックブロックの後端面には圧力ばねが上下に対称的に固定され、前記安全ドアの左端壁の中には前記ロック溝の後端壁と回転できるように連結されるキーシリンダが植設され、前記ドア枠の中には固定溝が設置され、前記ドア溝の左端壁には伝動軸が回転できるように連結され、前記伝動軸には伝動歯車が固定され、前記ドア溝の上端壁の中には上端壁に昇降ばねが固定される昇降溝が設置され、前記昇降ばねの下端には前記昇降溝とスライドできるように連結される昇降バーが固定され、前記昇降バーの下端にはロープにより前記伝動軸と固定的に連結されるロングバーが固定され、前記ロングバーの下端面にはストップブロックが固定され、前記ドア溝の後端壁には中空ブロックが固定され、前記中空ブロックの中には移動溝が設置され、前記移動溝の右端壁には移動ばねが固定され、前記移動ばねの左端にはＴ形ブロックが固定される。
【０００８】
前記Ｔ形ブロックの下端には台形ブロックが固定され、前記ドア溝の後端壁には駆動軸を持つ駆動モータが固定され、前記駆動軸には扇状歯車が固定され、前記ドア溝の後端壁には移動溝が設置され、前記移動溝の中には移動ブロックがスライドできるように設置され、前記移動ブロックの中には弾性溝が設置され、前記弾性溝の後端壁には間欠軸が回転できるように連結され、前記間欠軸と前記弾性溝との間には抵抗ばねが設置され、前記間欠軸には円ブロックが固定され、前記円ブロックの外端面には六つの三角形ブロックが均一に固定され、前記間欠軸には連動歯車が固定的に連結され、前記ドア溝の後端壁には駆動プーリが固定されるプーリ軸が回転できるように連結され、前記ドア溝の後端壁の中には弾力溝が設置され、前記弾力溝の後端壁には弾力軸が回転できるように連結され、前記弾力軸と前記弾力溝との間には弾力ばねが設置され、前記弾力軸にはベルトコンベヤーにより前記駆動プーリと摩擦で伝動できる送り輪が固定され、前記ベルトコンベヤーの前端面の左側には五つの等距離の方形ブロックが固定され、前記ベルトコンベヤーの外端面の下側には警報バーが固定され、前記ベルトコンベヤーの外端面には起動バーが固定される。
【０００９】
有益的には、前記警報機構は電気磁石を含み、前記ドア溝の後端壁には推力バーが上下にスライドできるように設置され、前記推力バーの下端には移動磁石が固定され、前記ドア溝の後端壁には起動プラグが左右にスライドできるように設置され、前記起動プラグと前記駆動モータとが電線により連通し、前記ドア溝の後端壁には電源箱が固定され、前記電源箱の左端面には起動コンセントが設置され、前記起動コンセントの下端壁の中には強警報コンセントが設置され、前記強警報コンセントの下端壁の中には軽警報コンセントが設置され、前記起動プラグの右端面には前記電源箱の左端面と固定的に連結される起動ばねが上下に対称的に固定され、前記ドア溝の後端壁には強警報プラグが左右にスライドできるように設置され、前記強警報プラグの右端面には前記電源箱と固定的に連結される大型ばねが上下に対称的に固定され、前記ドア溝の後端壁には分流器が固定的に設置され、前記分流器と前記強警報プラグとが前記電線により連通し、前記ドア溝の後端壁には電気磁石、強警報器及びフィードバック器が固定され、前記フィードバック器、前記強警報器及び前記電気磁石と前記分流器とが前記電線により連通し、前記ドア溝の後端壁には軽警報プラグが左右にスライドできるように設置され、前記ドア溝の後端壁には前記電線により前記軽警報プラグと連通する軽警報器が固定される。
【発明の効果】
【００１０】
以上により、本発明の有益的な効果は：装置がドアのところにいる人の立つ時間によって異なる警報を鳴らし対応の対策を行い、ねらいがあり、最大時間を超えた場合、ドアを更にロックし、これにより最大限に不審者を警告し、ユーザーの財産安全を確保し、ユーザーの損失をさらに減らす。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の警報ロックの全体全断面の正面構成略図
【図２】図２は本発明の警報ロックの連動歯車の拡大構成略図
【図３】図３は本発明の警報ロックのロックブロックの右面断面構成略図
【図４】図４は本発明の警報ロックの間欠軸の上面断面構成略図
【図５】図５は本発明の警報ロックの弾力軸の上面断面構成略図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１〜５に示すように、本発明が提供する実施例：警報ロックは、安全ドア１０を含み、前記安全ドア１０の中にはドア溝１１が設置され、前記ドア溝１１の中には駆動機構１８１が設置され、前記駆動機構１８１は駆動モータ１６２、六つの三角形ブロック１５６及び五つの方形ブロック１６７を含み、前記駆動モータ１６２が装置の動力源として装置全体の作動を駆動し、前記三角形ブロック１５６の回転が前記方形ブロック１６７をプッシュし下へ移動させることができ、前記駆動機構１８１はまた警報バー１２、起動バー１２５、ロックブロック１０５、台形ブロック１０８及びストップブロック１１９を含み、前記ロックブロック１０５が前に運動するとき、前記台形ブロック１０８をプッシュし前記三角形ブロック１５６の逆方向へのリセットをストップする位置まで移動させ、前記駆動機構１８１の右側には警報機構１８０が設置され、前記警報機構１８０の中において電線１１７により電力を伝導し、前記警報機構１８０は起動プラグ１２０、軽警報プラグ１３０及び強警報プラグ１３４を含み、前記起動バー１２５が運動するとき前記起動プラグ１２０を右にプッシュし通電させ、前記ストップブロック１１９が下に移動し位置を固定するときに前記起動プラグ１２０の左へのリセットをストップでき、前記警報バー１２が前記軽警報プラグ１３０と前記強警報プラグ１３４とをプッシュし右に運動し通電させることができ、前記警報機構１８０はまた移動磁石１５４と電気磁石１３７を含み、前記警報機構１８０の下側には検査測定機構１８２が設置され、前記検査測定機構１８２は重力ブロック１５３、揺動磁石１４６、動き磁石１４２及び底部引掛り溝１３９を含み、前記重力ブロック１５３が下がるときに前記揺動磁石１４６をプッシュし上昇させることができ、前記揺動磁石１４６と前記移動磁石１５４との退け合う力が前記移動磁石１５４をプッシュし上昇させることができ、前記電気磁石１３７が通電し作動するとき前記動き磁石１４２を吸い前記底部引掛り溝１３９の中まで上昇させ固定する。
【００１５】
有益的には、前記検査測定機構１８２は揺動磁石１４６を含み、前記安全ドア１０の下側には右側にドア枠１４０が固定される足踏み板１５２が設置され、前記ドア枠１４０の上端面の中には前記安全ドア１０とヒンジにより連結されるヒンジ連結溝１３８が設置され、前記足踏み板１５２の上端面には重力溝１５１が設置され、前記重力溝１５１の中には重力ブロック１５３がスライドできるように設置され、前記重力ブロック１５３の上端が前記重力溝１５１の上端壁を貫通し、かつ外部空間の中に位置し、前記重力ブロック１５３の下端面には下端が前記重力溝１５１の下端壁と固定的に連結される五つの重力ばね１５０が固定され、前記ヒンジ連結溝１３８の下端壁の中には磁性溝１４５が設置され、前記磁性溝１４５の後端壁には動き磁石１４２が上下にスライドできるように設置され、前記磁性溝１４５の後端壁には定位バー１４７が固定的に連結され、前記定位バー１４７には揺動バー１４９が回転できるように設置され、前記定位バー１４７と前記揺動バー１４９との間にはトーションバネ１４８が設置され、前記揺動バー１４９の上端面には揺動磁石１４６が固定され、前記安全ドア１０の下端面の中には底部引掛り溝１３９が設置される。
【００１６】
有益的には、前記駆動機構１８１は伝動歯車１１０を含み、前記ドア溝１１の後端壁の中にはロック溝１０４が設置され、前記ロック溝１０４の中にはロックブロック１０５がスライドできるように設置され、前記ロックブロック１０５の後端面には圧力ばね１７１が上下に対称的に固定され、前記安全ドア１０の左端壁の中には前記ロック溝１０４の後端壁と回転できるように連結されるキーシリンダ１０７が植設され、前記ドア枠１４０の中には固定溝１４１が設置され、前記ドア溝１１の左端壁には伝動軸１１１が回転できるように連結され、前記伝動軸１１１には伝動歯車１１０が固定され、前記ドア溝１１の上端壁の中には上端壁に昇降ばね１１６が固定される昇降溝１１５が設置され、前記昇降ばね１１６の下端には前記昇降溝１１５とスライドできるように連結される昇降バー１１４が固定され、前記昇降バー１１４の下端にはロープ１１２により前記伝動軸１１１と固定的に連結されるロングバー１１３が固定され、前記ロングバー１１３の下端面にはストップブロック１１９が固定され、前記ドア溝１１の後端壁には中空ブロック１６１が固定され、前記中空ブロック１６１の中には移動溝１５９が設置され、前記移動溝１５９の右端壁には移動ばね１６０が固定され、前記移動ばね１６０の左端にはＴ形ブロック１５８が固定される。
【００１７】
前記Ｔ形ブロック１５８の下端には台形ブロック１０８が固定され、前記ドア溝１１の後端壁には駆動軸１６３を持つ駆動モータ１６２が固定され、前記駆動軸１６３には扇状歯車１６４が固定され、前記ドア溝１１の後端壁には移動溝１６８が設置され、前記移動溝１６８の中には移動ブロック１５７がスライドできるように設置され、前記移動ブロック１５７の中には弾性溝１７２が設置され、前記弾性溝１７２の後端壁には間欠軸１６９が回転できるように連結され、前記間欠軸１６９と前記弾性溝１７２との間には抵抗ばね１７５が設置され、前記間欠軸１６９には円ブロック１７０が固定され、前記円ブロック１７０の外端面には六つの三角形ブロック１５６が均一に固定され、前記間欠軸１６９には連動歯車１０６が固定的に連結され、前記ドア溝１１の後端壁には駆動プーリ１６５が固定されるプーリ軸１６６が回転できるように連結され、前記ドア溝１１の後端壁の中には弾力溝１７３が設置され、前記弾力溝１７３の後端壁には弾力軸１２９が回転できるように連結され、前記弾力軸１２９と前記弾力溝１７３との間には弾力ばね１７４が設置され、前記弾力軸１２９にはベルトコンベヤー１３により前記駆動プーリ１６５と摩擦で伝動できる送り輪１３５が固定され、前記ベルトコンベヤー１３の前端面の左側には五つの等距離の方形ブロック１６７が固定され、前記ベルトコンベヤー１３の外端面の下側には警報バー１２が固定され、前記ベルトコンベヤー１３の外端面には起動バー１２５が固定される。
【００１８】
有益的には、前記警報機構１８０は電気磁石１３７を含み、前記ドア溝１１の後端壁には推力バー１５５が上下にスライドできるように設置され、前記推力バー１５５の下端には移動磁石１５４が固定され、前記ドア溝１１の後端壁には起動プラグ１２０が左右にスライドできるように設置され、前記起動プラグ１２０と前記駆動モータ１６２とが電線１１７により連通し、前記ドア溝１１の後端壁には電源箱１２４が固定され、前記電源箱１２４の左端面には起動コンセント１２３が設置され、前記起動コンセント１２３の下端壁の中には強警報コンセント１２７が設置され、前記強警報コンセント１２７の下端壁の中には軽警報コンセント１３２が設置され、前記起動プラグ１２０の右端面には前記電源箱１２４の左端面と固定的に連結される起動ばね１２２が上下に対称的に固定され、前記ドア溝１１の後端壁には強警報プラグ１３４が左右にスライドできるように設置され、前記強警報プラグ１３４の右端面には前記電源箱１２４と固定的に連結される大型ばね１３１が上下に対称的に固定され、前記ドア溝１１の後端壁には分流器１３６が固定的に設置され、前記分流器１３６と前記強警報プラグ１３４とが前記電線１１７により連通し、前記ドア溝１１の後端壁には電気磁石１３７、強警報器１４３及びフィードバック器１４４が固定され、前記フィードバック器１４４、前記強警報器１４３及び前記電気磁石１３７と前記分流器１３６とが前記電線１１７により連通し、前記ドア溝１１の後端壁には軽警報プラグ１３０が左右にスライドできるように設置され、前記ドア溝１１の後端壁には前記電線１１７により前記軽警報プラグ１３０と連通する軽警報器１３３が固定される。
【００１９】
下記に、出願人は図１〜５と上記に記述した本出願の警報ロックの具体的な構成を参考し、本出願の警報ロックの使用方法を詳しく紹介する：
【００２０】
使用するとき、鍵で前記ロックブロック１０５をプッシュし前記固定溝１４１の中に入らせてドアをロックし、前記ロックブロック１０５が前に移動し前記台形ブロック１０８をプッシュし右に移動させ前記伝動歯車１１０と噛合させ、これにより前記ロープ１１２を巻き、これにより前記ストップブロック１１９を駆動し下がらせ前記起動プラグ１２０をストップさせ、このとき、不審者が前記重力ブロック１５３に立てば、前記重力ブロック１５３をプッシュし降下させ、前記揺動磁石１４６を上昇連動させる。
【００２１】
また、揺動磁石１４６と移動磁石１５４との間には退け合う力があり、移動磁石１５４をプッシュし上昇させ、これにより連動歯車１０６を扇状歯車１６４と噛合するまで上昇連動させ、起動バー１２５がベルトコンベヤー１３と共に移動し起動プラグ１２０をプッシュし起動コンセント１２３の中に插入し、電源箱１２４が電線１１７により駆動モータ１６２を起動させ、これにより駆動軸１６３を回転連動させ、扇状歯車１６４と連動歯車１０６との噛合伝動により連動歯車１０６を間欠に回転連動させ、これによりベルトコンベヤー１３を反時計回りに回転連動させ、人が重力ブロック１５３にしばらく立った後、警報バー１２が軽警報プラグ１３０をプッシュし軽警報コンセント１３２に入らせ通電し、これにより軽警報器１３３が通電し、警報が鳴り、人に重力ブロック１５３から離れるまたはドアを開くことを注意する。
【００２２】
人が移動ブロック１５７から離れると、ベルトコンベヤー１３が時計回りで一定の距離に回転し警報を解除し、人が足踏み板１５２に立ち続けると、警報バー１２が上に移動し軽警報プラグ１３０から離脱され、警報が解除され、警報バー１２が移動し続け強警報プラグ１３４をプッシュし右に移動させ強警報コンセント１２７の中に入らせ通電し、フィードバック器１４４、強警報器１４３及び電気磁石１３７を通電し作業させ、フィードバック器１４４が通電しユーザーの端末に警報を送り、強警報器１４３が通電し激しい警報を鳴らし、電気磁石１３７が通電し動き磁石１４２を吸い上に移動させ底部引掛り溝１３９の中に入らせ、安全ドア１０を更にロックし、再び鍵を插入して回すと装置がリセットできる。
【００２３】
本発明の有益的な効果は：装置がドアのところにいる人の立つ時間によって異なる警報を鳴らし対応の対策を行い、ねらいがあり、最大時間を超えた場合、ドアを更にロックし、これにより最大限に不審者を警告し、ユーザーの財産安全を確保し、ユーザーの損失をさらに減らす。
【００２４】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正２】
【補正対象書類名】図面
【補正対象項目名】図４
【補正方法】変更
【補正の内容】
【図４】
2020180535.tif 000008